(57)【要約】【課題】本発明は雨の日に使用されるマスクを開示した。【解決手段】駆動板を含み、前記駆動板の中には動力チャンバが設置され、前記動力チャンバの左右両端にはカム溝が設置され、モータを始動し、ワイパーを上下に振らせ、透明板にある水をぬぐい取り、ワイパー装置の中にはまた動力装置が設置され、視線口の下端には連通溝が設置され、本装置は雨の日に、防風マスクの前端面の水をぬぐい取ることができ、同時に防風マスクの後端面の霧を除去し、ドライバーに良い視線を持たせ、それによりドライバーの生命安全を保障する。【選択図】図１
2020176361.tif 000002
【特許請求の範囲】
【請求項１】
駆動板を含み、前記駆動板の中には動力チャンバが設置され、前記動力チャンバの左右両端にはカム溝が設置され、前記駆動板の下端には固定板が設置され、前記固定板の中には視線口が設置され、前記視線口の左右端壁には連動溝が対称的に設置され、前記連動溝と、前記動力チャンバ及び前記カム溝の間にはワイパー装置が設置され、前記ワイパー装置はワイパーと透明板とを含み、前記ワイパー装置が前記透明板にある雨水をぬぐい取ることができ、前記ワイパー装置の中にはまた動力装置が設置され、前記視線口の下端には連通溝が設置され、前記連通溝の後端壁と外部とが連通しており、前記連通溝の下端壁には外部と連通している底溝が設置され、前記連通溝の左右端には切換溝が対称的に設置され、前記切換溝と前記連通溝との間には霧除去装置が設置され、前記霧除去装置は換気扇を含み、前記換気扇が正方向に回転し新鮮な空気を前記底溝から前記連通溝の中に吸い出し、また前記連通溝の後端壁から排出し、それにより前記透明板の後端面に対し霧除去作業を行い、前記霧除去装置の中にはまた駆動装置が設置され、前記駆動板の中にはロング軸が貫通し設置され、前記ロング軸の左右両端にはヘッドカバーが設置され、前記ヘッドカバーの中にはロックチャンバが設置され、前記ヘッドカバーの中にはバックル装置が設置され、前記バックル装置は引掛りブロックと連結歯車とを含み、前記連結歯車と前記ロング軸とが固定的に連結され、前記引掛りブロックの上下への移動が前記連結歯車を固定することができることを特徴とする雨の日に使用されるマスク。
【請求項２】
前記ワイパー装置の中にある前記動力装置は前記動力チャンバの右端壁に設置されるモータを含み、前記モータの左端にはモータ軸が伝動できるように連結され、前記モータ軸の左端にはモータ歯車が設置され、前記動力チャンバの左右端壁には横軸が回転できるように連結され、前記横軸の中端には前記モータ歯車と噛合する横軸歯車が設置され、前記横軸の左右両端がそれぞれ前記カム溝の中に伸びて挿入されており、且つ前記カム溝において前記動力チャンバに近接している端壁と回転できるように連結され、前記横軸の左右両端にはカムが対称的に設置され、前記カム溝の上端壁には昇降ロッドがスライドできるように連結され、前記昇降ロッドにおいて前記動力チャンバに近接している端面には当接ロッドが上下に対称的に設置され、前記カムと前記当接ロッドとが当接しており、前記昇降ロッドが下に前記連動溝の中に伸びて挿入されており、且つ前記連動溝の上端壁とスライドできるように連結され、前記連動溝の前後端壁にはワイパー軸が回転できるように連結され、前記ワイパー軸にはトーションばねが設置され、前記ワイパーと前記トーションばねとが固定的に連結され、前記モータを始動し、それにより前記昇降ロッドを上下に移動連動させ、前記ワイパーを上下に振らせ、前記透明板にある水をぬぐい取ることを特徴とする請求項１に記載の雨の日に使用されるマスク。
【請求項３】
前記霧除去装置の中の前記駆動装置は左右に対称的に二つ設置され、右端のを例として説明し、右端の前記霧除去装置は縦ロッドを含み、前記縦ロッドが前記連動溝の下端壁と、前記切換溝の上端壁と、前記ばね溝とスライドできるように連結され、前記縦ロッドの上端と前記ワイパーの下端面と当接しており、前記縦ロッドの下端には前記ばね溝の下端壁と固定的に連結される復帰ばねが設置され、前記縦ロッドの中端には縦ロッド軸が設置され、前記縦ロッド軸の後端には連動ロッドがヒンジにより連結され、前記連動ロッドの左端にはヒンジ連結軸が設置され、前記ヒンジ連結軸の前端にはラックがヒンジにより連結され、前記ラックが前記切換溝の左端壁と前記連通溝の右端壁とスライドできるように連結され、前記連通溝の下端壁にはファンロッドが回転できるように連結され、前記ファンロッドの中端には前記ラックと噛合するファン歯車が設置され、前記ファンロッドの上端と前記換気扇とが固定的に連結され、前記底溝の中にはフィルタが設置され、前記ファン歯車が前記換気扇と前記ファンロッドとを正方向に回転連動させ、新鮮な空気を前記底溝の下端から吸い込み、霧を除去し、前記ファンロッドが逆方向に回転するとき前記前記ファンロッドの後端の水を抽出し、それにより乾燥を維持することを特徴とする請求項１に記載の雨の日に使用されるマスク。
【請求項４】
前記バックル装置は前記ロックチャンバの上端に位置している駆動チャンバを含み、前記駆動チャンバの中には従動ロッドがスライドできるように連結され、前記従動ロッドと前記駆動チャンバとの間には伸縮ばねが連結され、前記従動ロッドの左端には回しブロックが設置され、前記従動ロッドの下端と前記引掛りブロックとが固定的に連結され、前記回しブロックを上に回し、それにより前記従動ロッドと前記引掛りブロックとを上に移動連動させることを特徴とする請求項１に記載の雨の日に使用されるマスク。
【発明の詳細な説明】
【技術分野】
【０００１】
本発明は保護分野を取り上げて、具体的には雨の日に使用されるマスクである。
【背景技術】
【０００２】
現在、雨の日に、電動バイクに乗って通勤することは非常に危険であり、伝統的な防風マスクは、雨の日に、前の風よけ板に多くの水がたまり、ドライバーの視線を遮り、マスクの内部にも薄い水煙があり、道路状況を観察にも不便であり、こういう状況でドライバーにとってとても危険である。
【先行技術文献】
【特許文献】
【０００３】
【特許文献１】中国特許出願公開第１０９１９８７７０号明細書
【発明の概要】
【発明が解決しようとする課題】
【０００４】
本発明の目的は雨の日に使用されるマスクを提供し、それは上記の現在の技術中の問題を解決できる。
【課題を解決するための手段】
【０００５】
上記の課題を解決するため、本発明は以下の技術プランを採用する：雨の日に使用されるマスクは、駆動板を含み、前記駆動板の中には動力チャンバが設置され、前記動力チャンバの左右両端にはカム溝が設置され、前記駆動板の下端には固定板が設置され、前記固定板の中には視線口が設置され、前記視線口の左右端壁には連動溝が対称的に設置され、前記連動溝と、前記動力チャンバ及び前記カム溝の間にはワイパー装置が設置され、前記ワイパー装置はワイパーと透明板とを含み、前記ワイパー装置が前記透明板にある雨水をぬぐい取ることができ、前記ワイパー装置の中にはまた動力装置が設置され、前記視線口の下端には連通溝が設置され、前記連通溝の後端壁と外部とが連通しており、前記連通溝の下端壁には外部と連通している底溝が設置され、前記連通溝の左右端には切換溝が対称的に設置され、前記切換溝と前記連通溝との間には霧除去装置が設置され、前記霧除去装置は換気扇を含み、前記換気扇が正方向に回転し新鮮な空気を前記底溝から前記連通溝の中に吸い出し、また前記連通溝の後端壁から排出し、それにより前記透明板の後端面に対し霧除去作業を行い、前記霧除去装置の中にはまた駆動装置が設置され、前記駆動板の中にはロング軸が貫通し設置され、前記ロング軸の左右両端にはヘッドカバーが設置され、前記ヘッドカバーの中にはロックチャンバが設置され、前記ヘッドカバーの中にはバックル装置が設置され、前記バックル装置は引掛りブロックと連結歯車とを含み、前記連結歯車と前記ロング軸とが固定的に連結され、前記引掛りブロックの上下への移動が前記連結歯車を固定することができる。
【０００６】
優選的には、前記ワイパー装置の中にある前記動力装置は前記動力チャンバの右端壁に設置されるモータを含み、前記モータの左端にはモータ軸が伝動できるように連結され、前記モータ軸の左端にはモータ歯車が設置され、前記動力チャンバの左右端壁には横軸が回転できるように連結され、前記横軸の中端には前記モータ歯車と噛合する横軸歯車が設置され、前記横軸の左右両端がそれぞれ前記カム溝の中に伸びて挿入されており、且つ前記カム溝において前記動力チャンバに近接している端壁と回転できるように連結され、前記横軸の左右両端にはカムが対称的に設置され、前記カム溝の上端壁には昇降ロッドがスライドできるように連結され、前記昇降ロッドにおいて前記動力チャンバに近接している端面には当接ロッドが上下に対称的に設置され、前記カムと前記当接ロッドとが当接しており、前記昇降ロッドが下に前記連動溝の中に伸びて挿入されており、且つ前記連動溝の上端壁とスライドできるように連結され、前記連動溝の前後端壁にはワイパー軸が回転できるように連結され、前記ワイパー軸にはトーションばねが設置され、前記ワイパーと前記トーションばねとが固定的に連結され、前記モータを始動し、それにより前記昇降ロッドを上下に移動連動させ、前記ワイパーを上下に振らせ、前記透明板にある水をぬぐい取る。
【０００７】
優選的には、前記霧除去装置の中の前記駆動装置は左右に対称的に二つ設置され、右端のを例として説明し、右端の前記霧除去装置は縦ロッドを含み、前記縦ロッドが前記連動溝の下端壁と、前記切換溝の上端壁と、前記ばね溝とスライドできるように連結され、前記縦ロッドの上端と前記ワイパーの下端面と当接しており、前記縦ロッドの下端には前記ばね溝の下端壁と固定的に連結される復帰ばねが設置され、前記縦ロッドの中端には縦ロッド軸が設置され、前記縦ロッド軸の後端には連動ロッドがヒンジにより連結され、前記連動ロッドの左端にはヒンジ連結軸が設置され、前記ヒンジ連結軸の前端にはラックがヒンジにより連結され、前記ラックが前記切換溝の左端壁と前記連通溝の右端壁とスライドできるように連結され、前記連通溝の下端壁にはファンロッドが回転できるように連結され、前記ファンロッドの中端には前記ラックと噛合するファン歯車が設置され、前記ファンロッドの上端と前記換気扇とが固定的に連結され、前記底溝の中にはフィルタが設置され、前記ファン歯車が前記換気扇と前記ファンロッドとを正方向に回転連動させ、新鮮な空気を前記底溝の下端から吸い込み、霧を除去し、前記ファンロッドが逆方向に回転するとき前記前記ファンロッドの後端の水を抽出し、それにより乾燥を維持する。
【０００８】
優選的には、前記バックル装置は前記ロックチャンバの上端に位置している駆動チャンバを含み、前記駆動チャンバの中には従動ロッドがスライドできるように連結され、前記従動ロッドと前記駆動チャンバとの間には伸縮ばねが連結され、前記従動ロッドの左端には回しブロックが設置され、前記従動ロッドの下端と前記引掛りブロックとが固定的に連結され、前記回しブロックを上に回し、それにより前記従動ロッドと前記引掛りブロックとを上に移動連動させる。
【発明の効果】
【０００９】
以上により、本発明の有益的な効果は：本装置は雨の日に、防風マスクの前端面の水をぬぐい取ることができ、同時に防風マスクの後端面の霧を除去し、ドライバーに良い視線を持たせ、それによりドライバーの生命安全を保障し、本装置は機械の伝動協働により、ミスが出る可能性を下げ、同時に一つのモータで多機能を実現し、装置のコストとエネルギー消耗を節約する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の雨の日に使用されるマスクの全体全断面の正面構造概略図
【図２】図２は本発明の図１のＡ−Ａ方向の断面図
【図３】図３は本発明の図１のＢ−Ｂ方向の断面図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１５】
図１−３を参照し、本発明の雨の日に使用されるマスクは、駆動板３３を含み、前記駆動板３３の中には動力チャンバ６２が設置され、前記動力チャンバ６２の左右両端にはカム溝２５が設置され、前記駆動板３３の下端には固定板３５が設置され、前記固定板３５の中には視線口５３が設置され、前記視線口５３の左右端壁には連動溝５５が対称的に設置され、前記連動溝５５と、前記動力チャンバ６２及び前記カム溝２５の間にはワイパー装置１０１が設置され、前記ワイパー装置１０１はワイパー３７と透明板３４とを含み、前記ワイパー装置１０１が前記透明板３４にある雨水をぬぐい取ることができ、前記ワイパー装置１０１の中にはまた動力装置１０５が設置され、前記視線口５３の下端には連通溝５２が設置され、前記連通溝５２の後端壁と外部とが連通しており、前記連通溝５２の下端壁には外部と連通している底溝４６が設置され、前記連通溝５２の左右端には切換溝６４が対称的に設置され、前記切換溝６４と前記連通溝５２との間には霧除去装置１０２が設置され、前記霧除去装置１０２は換気扇５０を含み、前記換気扇５０が正方向に回転し新鮮な空気を前記底溝４６から前記連通溝５２の中に吸い出し、また前記連通溝５２の後端壁から排出し、それにより前記透明板３４の後端面に対し霧除去作業を行い、前記霧除去装置１０２の中にはまた駆動装置１０４が設置され、前記駆動板３３の中にはロング軸５４が貫通し設置され、前記ロング軸５４の左右両端にはヘッドカバー２１が設置され、前記ヘッドカバー２１の中にはロックチャンバ３２が設置され、前記ヘッドカバー２１の中にはバックル装置１０３が設置され、前記バックル装置１０３は引掛りブロック６１と連結歯車３１とを含み、前記連結歯車３１と前記ロング軸５４とが固定的に連結され、前記引掛りブロック６１の上下への移動が前記連結歯車３１を固定することができる。
【００１６】
前記ワイパー装置１０１の中にある前記動力装置１０５は前記動力チャンバ６２の右端壁に設置されるモータ２９を含み、前記モータ２９の左端にはモータ軸２８が伝動できるように連結され、前記モータ軸２８の左端にはモータ歯車２７が設置され、前記動力チャンバ６２の左右端壁には横軸２６が回転できるように連結され、前記横軸２６の中端には前記モータ歯車２７と噛合する横軸歯車３０が設置され、前記横軸２６の左右両端がそれぞれ前記カム溝２５の中に伸びて挿入されており、且つ前記カム溝２５において前記動力チャンバ６２に近接している端壁と回転できるように連結され、前記横軸２６の左右両端にはカム２４が対称的に設置され、前記カム溝２５の上端壁には昇降ロッド２２がスライドできるように連結され、前記昇降ロッド２２において前記動力チャンバ６２に近接している端面には当接ロッド２３が上下に対称的に設置され、前記カム２４と前記当接ロッド２３とが当接しており、前記昇降ロッド２２が下に前記連動溝５５の中に伸びて挿入されており、且つ前記連動溝５５の上端壁とスライドできるように連結され、前記連動溝５５の前後端壁にはワイパー軸３８が回転できるように連結され、前記ワイパー軸３８にはトーションばね３６が設置され、前記ワイパー３７と前記トーションばね３６とが固定的に連結され、前記モータ２９を始動し、それにより前記昇降ロッド２２を上下に移動連動させ、前記ワイパー３７を上下に振らせ、前記透明板３４にある水をぬぐい取る。
【００１７】
前記霧除去装置１０２の中の前記駆動装置１０４は左右に対称的に二つ設置され、右端のを例として説明し、右端の前記霧除去装置１０２は縦ロッド３９を含み、前記縦ロッド３９が前記連動溝５５の下端壁と、前記切換溝６４の上端壁と、前記ばね溝４２とスライドできるように連結され、前記縦ロッド３９の上端と前記ワイパー３７の下端面と当接しており、前記縦ロッド３９の下端には前記ばね溝４２の下端壁と固定的に連結される復帰ばね４１が設置され、前記縦ロッド３９の中端には縦ロッド軸４０が設置され、前記縦ロッド軸４０の後端には連動ロッド４３がヒンジにより連結され、前記連動ロッド４３の左端にはヒンジ連結軸４４が設置され、前記ヒンジ連結軸４４の前端にはラック４５がヒンジにより連結され、前記ラック４５が前記切換溝６４の左端壁と前記連通溝５２の右端壁とスライドできるように連結され、前記連通溝５２の下端壁にはファンロッド５１が回転できるように連結され、前記ファンロッド５１の中端には前記ラック４５と噛合するファン歯車４８が設置され、前記ファンロッド５１の上端と前記換気扇５０とが固定的に連結され、前記底溝４６の中にはフィルタ４７が設置され、前記ファン歯車４８が前記換気扇５０と前記ファンロッド５１とを正方向に回転連動させ、新鮮な空気を前記底溝４６の下端から吸い込み、霧を除去し、前記ファンロッド５１が逆方向に回転するとき前記前記ファンロッド５１の後端の水を抽出し、それにより乾燥を維持する。
【００１８】
前記バックル装置１０３は前記ロックチャンバ３２の上端に位置している駆動チャンバ５８を含み、前記駆動チャンバ５８の中には従動ロッド６０がスライドできるように連結され、前記従動ロッド６０と前記駆動チャンバ５８との間には伸縮ばね５９が連結され、前記従動ロッド６０の左端には回しブロック５７が設置され、前記従動ロッド６０の下端と前記引掛りブロック６１とが固定的に連結され、前記回しブロック５７を上に回し、それにより前記従動ロッド６０と前記引掛りブロック６１とを上に移動連動させる。
【００１９】
使用するとき、モータ２９を始動し、それによりモータ軸２８と、モータ歯車２７と、横軸歯車３０と、横軸２６及びカム２４を回転連動させ、それにより昇降ロッド２２を上下に移動連動させ、ワイパー３７を上下に振らせ、透明板３４にある水をぬぐい取り、ワイパー３７が縦ロッド３９を上下に移動連動され、それにより連動ロッド４３を連動させ左右に振らせ、ラック４５が連通溝５２から離れている一端に運動するとき、ファン歯車４８により換気扇５０とファンロッド５１とを正方向に回転連動させ、新鮮な空気を底溝４６の下端から吸い込み、霧を除去し、ファンロッド５１が逆方向に回転するときファンロッド５１の後端の水を抽出し、それにより乾燥を維持し、ヘッドカバー２１を取り外すとき、回しブロック５７を上に回し、それにより従動ロッド６０と引掛りブロック６１とを上に移動連動させ、それにより固定板３５を引き上げる。
【００２０】
本発明の有益的な効果は：本装置は雨の日に、防風マスクの前端面の水をぬぐい取ることができ、同時に防風マスクの後端面の霧を除去し、ドライバーに良い視線を持たせ、それによりドライバーの生命安全を保障し、本装置は機械の伝動協働により、ミスが出る可能性を下げ、同時に一つのモータで多機能を実現し、装置のコストとエネルギー消耗を節約する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176361.tif 000003
【図２】
2020176361.tif 000004
【図３】
2020176361.tif 000005
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
駆動板を含み、前記駆動板の中には動力チャンバが設置され、前記動力チャンバの左右両端にはカム溝が設置され、前記駆動板の下端には固定板が設置され、前記固定板の中には視線口が設置され、前記視線口の左右端壁には連動溝が対称的に設置され、前記連動溝と、前記動力チャンバ及び前記カム溝の間にはワイパー装置が設置され、前記ワイパー装置はワイパーと透明板とを含み、前記ワイパー装置が前記透明板にある雨水をぬぐい取ることができ、前記ワイパー装置の中にはまた動力装置が設置され、前記視線口の下端には連通溝が設置され、前記連通溝の後端壁と外部とが連通しており、前記連通溝の下端壁には外部と連通している底溝が設置され、前記連通溝の左右端には切換溝が対称的に設置され、前記切換溝と前記連通溝との間には霧除去装置が設置され、前記霧除去装置は換気扇を含み、前記換気扇が正方向に回転し新鮮な空気を前記底溝から前記連通溝の中に吸い出し、また前記連通溝の後端壁から排出し、それにより前記透明板の後端面に対し霧除去作業を行い、前記霧除去装置の中にはまた駆動装置が設置され、前記駆動板の中にはロング軸が貫通し設置され、前記ロング軸の左右両端にはヘッドカバーが設置され、前記ヘッドカバーの中にはロックチャンバが設置され、前記ヘッドカバーの中にはバックル装置が設置され、前記バックル装置は引掛りブロックと連結歯車及び前記ロックチャンバの上端に位置している駆動チャンバを含み、前記駆動チャンバの中には従動ロッドがスライドできるように連結され、前記従動ロッドと前記駆動チャンバとの間には伸縮ばねが連結され、前記従動ロッドの左端には回しブロックが設置され、前記従動ロッドの下端と前記引掛りブロックとが固定的に連結され、前記連結歯車と前記ロング軸とが固定的に連結され、前記引掛りブロックの上下への移動が前記連結歯車を固定することができ、前記回しブロックを上に回し、それにより前記従動ロッドと前記引掛りブロックとを上に移動連動させることを特徴とする雨の日に使用されるマスク。
【請求項２】
前記ワイパー装置の中にある前記動力装置は前記動力チャンバの右端壁に設置されるモータを含み、前記モータの左端にはモータ軸が伝動できるように連結され、前記モータ軸の左端にはモータ歯車が設置され、前記動力チャンバの左右端壁には横軸が回転できるように連結され、前記横軸の中域には前記モータ歯車と噛合する横軸歯車が設置され、前記横軸の左右両端がそれぞれ前記カム溝の中に伸びて挿入されており、且つ前記カム溝において前記動力チャンバに近接している端壁と回転できるように連結され、前記横軸の左右両端にはカムが対称的に設置され、前記カム溝の上端壁には昇降ロッドがスライドできるように連結され、前記昇降ロッドにおいて前記動力チャンバに近接している端面には当接ロッドが上下に対称的に設置され、前記カムと前記当接ロッドとが当接しており、前記昇降ロッドが下に前記連動溝の中に伸びて挿入されており、且つ前記連動溝の上端壁とスライドできるように連結され、前記連動溝の前後端壁にはワイパー軸が回転できるように連結され、前記ワイパー軸にはトーションばねが設置され、前記ワイパーと前記トーションばねとが固定的に連結され、前記モータを始動し、それにより前記昇降ロッドを上下に移動連動させ、前記ワイパーを上下に振らせ、前記透明板にある水をぬぐい取ることを特徴とする請求項１に記載の雨の日に使用されるマスク。
【請求項３】
前記霧除去装置の中の前記駆動装置は左右に対称的に二つ設置され、右端のを例として説明し、右端の前記霧除去装置は縦ロッドを含み、前記縦ロッドが前記連動溝の下端壁と、前記切換溝の上端壁と、前記ばね溝とスライドできるように連結され、前記縦ロッドの上端と前記ワイパーの下端面と当接しており、前記縦ロッドの下端には前記ばね溝の下端壁と固定的に連結される復帰ばねが設置され、前記縦ロッドの中端には縦ロッド軸が設置され、前記縦ロッド軸の後端には連動ロッドがヒンジにより連結され、前記連動ロッドの左端にはヒンジ連結軸が設置され、前記ヒンジ連結軸の前端にはラックがヒンジにより連結され、前記ラックが前記切換溝の左端壁と前記連通溝の右端壁とスライドできるように連結され、前記連通溝の下端壁にはファンロッドが回転できるように連結され、前記ファンロッドの中端には前記ラックと噛合するファン歯車が設置され、前記ファンロッドの上端と前記換気扇とが固定的に連結され、前記底溝の中にはフィルタが設置され、前記ファン歯車が前記換気扇と前記ファンロッドとを正方向に回転連動させ、新鮮な空気を前記底溝の下端から吸い込み、霧を除去し、前記ファンロッドが逆方向に回転するとき前記前記ファンロッドの後端の水を抽出し、それにより乾燥を維持することを特徴とする請求項１に記載の雨の日に使用されるマスク。
【手続補正２】
【補正対象書類名】明細書
【補正対象項目名】全文
【補正方法】変更
【補正の内容】
【発明の詳細な説明】
【技術分野】
【０００１】
本発明は保護分野を取り上げて、具体的には雨の日に使用されるマスクである。
【背景技術】
【０００２】
現在、雨の日に、電動バイクに乗って通勤することは非常に危険であり、伝統的な防風マスクは、雨の日に、前の風よけ板に多くの水がたまり、ドライバーの視線を遮り、マスクの内部にも薄い水煙があり、道路状況を観察にも不便であり、こういう状況でドライバーにとってとても危険である。
【先行技術文献】
【特許文献】
【０００３】
【特許文献１】中国特許出願公開第１０９１９８７７０号明細書
【発明の概要】
【発明が解決しようとする課題】
【０００４】
本発明の目的は雨の日に使用されるマスクを提供し、それは上記の現在の技術中の問題を解決できる。
【課題を解決するための手段】
【０００５】
上記の課題を解決するため、本発明は以下の技術プランを採用する：雨の日に使用されるマスクは、駆動板を含み、前記駆動板の中には動力チャンバが設置され、前記動力チャンバの左右両端にはカム溝が設置され、前記駆動板の下端には固定板が設置され、前記固定板の中には視線口が設置され、前記視線口の左右端壁には連動溝が対称的に設置され、前記連動溝と、前記動力チャンバ及び前記カム溝の間にはワイパー装置が設置され、前記ワイパー装置はワイパーと透明板とを含み、前記ワイパー装置が前記透明板にある雨水をぬぐい取ることができ、前記ワイパー装置の中にはまた動力装置が設置され、前記視線口の下端には連通溝が設置され、前記連通溝の後端壁と外部とが連通しており、前記連通溝の下端壁には外部と連通している底溝が設置され、前記連通溝の左右端には切換溝が対称的に設置され、前記切換溝と前記連通溝との間には霧除去装置が設置され、前記霧除去装置は換気扇を含み、前記換気扇が正方向に回転し新鮮な空気を前記底溝から前記連通溝の中に吸い出し、また前記連通溝の後端壁から排出し、それにより前記透明板の後端面に対し霧除去作業を行い、前記霧除去装置の中にはまた駆動装置が設置され、前記駆動板の中にはロング軸が貫通し設置され、前記ロング軸の左右両端にはヘッドカバーが設置され、前記ヘッドカバーの中にはロックチャンバが設置され、前記ヘッドカバーの中にはバックル装置が設置され、前記バックル装置は引掛りブロックと連結歯車とを含み、前記連結歯車と前記ロング軸とが固定的に連結され、前記引掛りブロックの上下への移動が前記連結歯車を固定することができる。
【０００６】
優選的には、前記ワイパー装置の中にある前記動力装置は前記動力チャンバの右端壁に設置されるモータを含み、前記モータの左端にはモータ軸が伝動できるように連結され、前記モータ軸の左端にはモータ歯車が設置され、前記動力チャンバの左右端壁には横軸が回転できるように連結され、前記横軸の中域には前記モータ歯車と噛合する横軸歯車が設置され、前記横軸の左右両端がそれぞれ前記カム溝の中に伸びて挿入されており、且つ前記カム溝において前記動力チャンバに近接している端壁と回転できるように連結され、前記横軸の左右両端にはカムが対称的に設置され、前記カム溝の上端壁には昇降ロッドがスライドできるように連結され、前記昇降ロッドにおいて前記動力チャンバに近接している端面には当接ロッドが上下に対称的に設置され、前記カムと前記当接ロッドとが当接しており、前記昇降ロッドが下に前記連動溝の中に伸びて挿入されており、且つ前記連動溝の上端壁とスライドできるように連結され、前記連動溝の前後端壁にはワイパー軸が回転できるように連結され、前記ワイパー軸にはトーションばねが設置され、前記ワイパーと前記トーションばねとが固定的に連結され、前記モータを始動し、それにより前記昇降ロッドを上下に移動連動させ、前記ワイパーを上下に振らせ、前記透明板にある水をぬぐい取る。
【０００７】
優選的には、前記霧除去装置の中の前記駆動装置は左右に対称的に二つ設置され、右端のを例として説明し、右端の前記霧除去装置は縦ロッドを含み、前記縦ロッドが前記連動溝の下端壁と、前記切換溝の上端壁と、前記ばね溝とスライドできるように連結され、前記縦ロッドの上端と前記ワイパーの下端面と当接しており、前記縦ロッドの下端には前記ばね溝の下端壁と固定的に連結される復帰ばねが設置され、前記縦ロッドの中端には縦ロッド軸が設置され、前記縦ロッド軸の後端には連動ロッドがヒンジにより連結され、前記連動ロッドの左端にはヒンジ連結軸が設置され、前記ヒンジ連結軸の前端にはラックがヒンジにより連結され、前記ラックが前記切換溝の左端壁と前記連通溝の右端壁とスライドできるように連結され、前記連通溝の下端壁にはファンロッドが回転できるように連結され、前記ファンロッドの中端には前記ラックと噛合するファン歯車が設置され、前記ファンロッドの上端と前記換気扇とが固定的に連結され、前記底溝の中にはフィルタが設置され、前記ファン歯車が前記換気扇と前記ファンロッドとを正方向に回転連動させ、新鮮な空気を前記底溝の下端から吸い込み、霧を除去し、前記ファンロッドが逆方向に回転するとき前記前記ファンロッドの後端の水を抽出し、それにより乾燥を維持する。
【０００８】
優選的には、前記バックル装置は前記ロックチャンバの上端に位置している駆動チャンバを含み、前記駆動チャンバの中には従動ロッドがスライドできるように連結され、前記従動ロッドと前記駆動チャンバとの間には伸縮ばねが連結され、前記従動ロッドの左端には回しブロックが設置され、前記従動ロッドの下端と前記引掛りブロックとが固定的に連結され、前記回しブロックを上に回し、それにより前記従動ロッドと前記引掛りブロックとを上に移動連動させる。
【発明の効果】
【０００９】
以上により、本発明の有益的な効果は：本装置は雨の日に、防風マスクの前端面の水をぬぐい取ることができ、同時に防風マスクの後端面の霧を除去し、ドライバーに良い視線を持たせ、それによりドライバーの生命安全を保障し、本装置は機械の伝動協働により、ミスが出る可能性を下げ、同時に一つのモータで多機能を実現し、装置のコストとエネルギー消耗を節約する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の雨の日に使用されるマスクの全体全断面の正面構造概略図
【図２】図２は本発明の図１のＡ−Ａ方向の断面図
【図３】図３は本発明の図１のＢ−Ｂ方向の断面図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１５】
図１−３を参照し、本発明の雨の日に使用されるマスクは、駆動板３３を含み、前記駆動板３３の中には動力チャンバ６２が設置され、前記動力チャンバ６２の左右両端にはカム溝２５が設置され、前記駆動板３３の下端には固定板３５が設置され、前記固定板３５の中には視線口５３が設置され、前記視線口５３の左右端壁には連動溝５５が対称的に設置され、前記連動溝５５と、前記動力チャンバ６２及び前記カム溝２５の間にはワイパー装置１０１が設置され、前記ワイパー装置１０１はワイパー３７と透明板３４とを含み、前記ワイパー装置１０１が前記透明板３４にある雨水をぬぐい取ることができ、前記ワイパー装置１０１の中にはまた動力装置１０５が設置され、前記視線口５３の下端には連通溝５２が設置され、前記連通溝５２の後端壁と外部とが連通しており、前記連通溝５２の下端壁には外部と連通している底溝４６が設置され、前記連通溝５２の左右端には切換溝６４が対称的に設置され、前記切換溝６４と前記連通溝５２との間には霧除去装置１０２が設置され、前記霧除去装置１０２は換気扇５０を含み、前記換気扇５０が正方向に回転し新鮮な空気を前記底溝４６から前記連通溝５２の中に吸い出し、また前記連通溝５２の後端壁から排出し、それにより前記透明板３４の後端面に対し霧除去作業を行い、前記霧除去装置１０２の中にはまた駆動装置１０４が設置され、前記駆動板３３の中にはロング軸５４が貫通し設置され、前記ロング軸５４の左右両端にはヘッドカバー２１が設置され、前記ヘッドカバー２１の中にはロックチャンバ３２が設置され、前記ヘッドカバー２１の中にはバックル装置１０３が設置され、前記バックル装置１０３は引掛りブロック６１と連結歯車３１とを含み、前記連結歯車３１と前記ロング軸５４とが固定的に連結され、前記引掛りブロック６１の上下への移動が前記連結歯車３１を固定することができる。
【００１６】
前記ワイパー装置１０１の中にある前記動力装置１０５は前記動力チャンバ６２の右端壁に設置されるモータ２９を含み、前記モータ２９の左端にはモータ軸２８が伝動できるように連結され、前記モータ軸２８の左端にはモータ歯車２７が設置され、前記動力チャンバ６２の左右端壁には横軸２６が回転できるように連結され、前記横軸２６の中域には前記モータ歯車２７と噛合する横軸歯車３０が設置され、前記横軸２６の左右両端がそれぞれ前記カム溝２５の中に伸びて挿入されており、且つ前記カム溝２５において前記動力チャンバ６２に近接している端壁と回転できるように連結され、前記横軸２６の左右両端にはカム２４が対称的に設置され、前記カム溝２５の上端壁には昇降ロッド２２がスライドできるように連結され、前記昇降ロッド２２において前記動力チャンバ６２に近接している端面には当接ロッド２３が上下に対称的に設置され、前記カム２４と前記当接ロッド２３とが当接しており、前記昇降ロッド２２が下に前記連動溝５５の中に伸びて挿入されており、且つ前記連動溝５５の上端壁とスライドできるように連結され、前記連動溝５５の前後端壁にはワイパー軸３８が回転できるように連結され、前記ワイパー軸３８にはトーションばね３６が設置され、前記ワイパー３７と前記トーションばね３６とが固定的に連結され、前記モータ２９を始動し、それにより前記昇降ロッド２２を上下に移動連動させ、前記ワイパー３７を上下に振らせ、前記透明板３４にある水をぬぐい取る。
【００１７】
前記霧除去装置１０２の中の前記駆動装置１０４は左右に対称的に二つ設置され、右端のを例として説明し、右端の前記霧除去装置１０２は縦ロッド３９を含み、前記縦ロッド３９が前記連動溝５５の下端壁と、前記切換溝６４の上端壁と、前記ばね溝４２とスライドできるように連結され、前記縦ロッド３９の上端と前記ワイパー３７の下端面と当接しており、前記縦ロッド３９の下端には前記ばね溝４２の下端壁と固定的に連結される復帰ばね４１が設置され、前記縦ロッド３９の中端には縦ロッド軸４０が設置され、前記縦ロッド軸４０の後端には連動ロッド４３がヒンジにより連結され、前記連動ロッド４３の左端にはヒンジ連結軸４４が設置され、前記ヒンジ連結軸４４の前端にはラック４５がヒンジにより連結され、前記ラック４５が前記切換溝６４の左端壁と前記連通溝５２の右端壁とスライドできるように連結され、前記連通溝５２の下端壁にはファンロッド５１が回転できるように連結され、前記ファンロッド５１の中端には前記ラック４５と噛合するファン歯車４８が設置され、前記ファンロッド５１の上端と前記換気扇５０とが固定的に連結され、前記底溝４６の中にはフィルタ４７が設置され、前記ファン歯車４８が前記換気扇５０と前記ファンロッド５１とを正方向に回転連動させ、新鮮な空気を前記底溝４６の下端から吸い込み、霧を除去し、前記ファンロッド５１が逆方向に回転するとき前記前記ファンロッド５１の後端の水を抽出し、それにより乾燥を維持する。
【００１８】
前記バックル装置１０３は前記ロックチャンバ３２の上端に位置している駆動チャンバ５８を含み、前記駆動チャンバ５８の中には従動ロッド６０がスライドできるように連結され、前記従動ロッド６０と前記駆動チャンバ５８との間には伸縮ばね５９が連結され、前記従動ロッド６０の左端には回しブロック５７が設置され、前記従動ロッド６０の下端と前記引掛りブロック６１とが固定的に連結され、前記回しブロック５７を上に回し、それにより前記従動ロッド６０と前記引掛りブロック６１とを上に移動連動させる。
【００１９】
使用するとき、モータ２９を始動し、それによりモータ軸２８と、モータ歯車２７と、横軸歯車３０と、横軸２６及びカム２４を回転連動させ、それにより昇降ロッド２２を上下に移動連動させ、ワイパー３７を上下に振らせ、透明板３４にある水をぬぐい取り、ワイパー３７が縦ロッド３９を上下に移動連動され、それにより連動ロッド４３を連動させ左右に振らせ、ラック４５が連通溝５２から離れている一端に運動するとき、ファン歯車４８により換気扇５０とファンロッド５１とを正方向に回転連動させ、新鮮な空気を底溝４６の下端から吸い込み、霧を除去し、ファンロッド５１が逆方向に回転するときファンロッド５１の後端の水を抽出し、それにより乾燥を維持し、ヘッドカバー２１を取り外すとき、回しブロック５７を上に回し、それにより従動ロッド６０と引掛りブロック６１とを上に移動連動させ、それにより固定板３５を引き上げる。
【００２０】
本発明の有益的な効果は：本装置は雨の日に、防風マスクの前端面の水をぬぐい取ることができ、同時に防風マスクの後端面の霧を除去し、ドライバーに良い視線を持たせ、それによりドライバーの生命安全を保障し、本装置は機械の伝動協働により、ミスが出る可能性を下げ、同時に一つのモータで多機能を実現し、装置のコストとエネルギー消耗を節約する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。